(57)【要約】【課題】  縦型洗濯機の水槽が回転した場合の偏心量を、より高精度に検知する。【解決手段】  洗濯機の制御装置を構成するマイクロコンピュータは、洗濯槽を回転させるモータをベクトル制御することで検出されるｑ軸電流について所定期間毎の平均値を求め、その平均値の差に基づいて洗濯槽が回転している状態での水槽の偏心量を検知する。【選択図】  図１
2007050114.tif 000002
【特許請求の範囲】
【請求項１】
複数の弾性吊持機構を介して外箱内に吊持される水槽と、この水槽内に配置され、内部に撹拌翼を備える洗濯槽とを有し、前記洗濯槽を回転させることで当該槽内に収容されている洗濯物を脱水する洗濯機において、
前記洗濯槽を回転させるモータをベクトル制御することで検出されるトルク成分電流について所定期間毎の平均値を求め、その平均値の差に基づいて、前記洗濯槽が回転している状態での偏心量を検知する偏心量検知手段を備えたことを特徴とする洗濯機。
【請求項２】
偏心量検知手段は、水槽が縦揺れ振動する場合の共振点付近において、偏心量を検知することを特徴とする請求項１記載の洗濯機。
【請求項３】
偏心量検知手段は、トルク成分電流の振幅の実効値が所定のしきい値を超えることで洗濯槽が回転した場合に水槽が外箱側に接触する状態を検知し、
前記接触を検知すると、前記洗濯槽の回転を停止させるように制御することを特徴とする請求項１又は２記載の洗濯機。
【発明の詳細な説明】
【技術分野】
【０００１】
本発明は、複数の弾性吊持機構を介して外箱内に吊持される水槽と、この水槽内に配置され、内部に撹拌翼を備える洗濯槽とを有し、前記洗濯槽を回転させることで当該槽内に収容されている洗濯物を脱水する洗濯機に関する。
【背景技術】
【０００２】
所謂縦型の全自動洗濯機は、複数の弾性吊持機構を介して外箱内に吊持される水槽と、この水槽内に配置され、内部に撹拌翼を備える洗濯槽とを有し、撹拌翼を回転させて洗い，すすぎ運転を行い、洗濯槽を高速回転させることで脱水運転を行う。斯様な構成の洗濯機においては、洗濯槽内における洗濯物の分布状態が回転軸に対してアンバランスになっている場合に洗濯槽を高速回転させると、遠心力によって内周壁に洗濯物が張り付いて偏心した状態となり、振動や騒音が大きくなるという問題がある。
従来、このような偏心状態での回転が発生すると、水槽の外側に設置されているレバースイッチに水槽が接触して当該スイッチをオンさせることにより、回転を停止させるように対処していた。しかしながら、洗濯槽が回転した場合に水槽が振動する状態は、洗濯槽内における洗濯物の分布状態に応じて異なる場合がある。図１０には、洗濯物の分布状態の典型例を、洗濯槽の縦断側面図で示す。
【０００３】
図１０では、洗濯物が偏在している部分を、ハッチングが異なる円で示している。（ａ）は洗濯物が洗濯槽の底部からある程度均等に分布している上方の一部に洗濯物が偏在している場合（上アンバラ状態）、（ｂ）は洗濯槽底部の一方に洗濯物が偏在している場合（下アンバラ状態）、（ｃ）は洗濯槽の片側（上下）に洗濯物が偏在している場合（並進アンバラ状態）である。これらのアンバランス状態で洗濯槽が高速回転すると、水槽に横揺れ振動が発生する。そして、（ｄ）は洗濯物が洗濯槽の上下に対向している状態で偏在している場合（対向アンバラ状態）である。このアンバランス状態で洗濯槽が高速回転すると、水槽に縦揺れ振動が発生する。
これらの内、図１０（ａ）〜（ｃ）のケースで横揺れ振動が発生した場合は、水槽の横方向の変位量（偏心量）が大きいため、水槽がレバースイッチに当たり易く検知が容易である。しかし、図１０（ｄ）のケースで縦揺れ振動が発生した場合は水槽の横方向の変位量が小さく、水槽がレバースイッチに当たり難いため検知が困難であった。
【０００４】
ところで、近年、洗濯機に使用されるモータを駆動するために、ベクトル制御を適用する技術が広まりつつある（例えば、特許文献１，２参照）。ベクトル制御においては、トルク成分電流（ｑ軸電流）に基づいてモータの出力トルクを高精度で制御することができるため、図１０（ｄ）のケースによる縦揺れ振動でも容易に検知可能となる。例えば、トルク成分電流の指令をある値で与えた結果、モータの回転数が所期通りに上昇していない場合は、モータの出力の一部が水槽に発生した振動に吸収された結果であると推定できることから、回転状態における偏心量（振動）が大であると検知できる。
【特許文献１】特開２００１−２７６４６８号公報
【特許文献２】特開２００４−４９６３１号公報
【発明の開示】
【発明が解決しようとする課題】
【０００５】
また、洗濯機の技術開発におけるトレンドの１つとして、出力トルクがより高いモータを使用して運転効率を向上させるというものがあり、現在では、例えば極めて磁力が強いネオジウム磁石などを用いてロータが構成されているブラシレスＤＣモータのように高出力のモータが、洗濯機に使用されるようになっている。その場合、モータの出力の一部が発生した振動に吸収されたとしても高い回転数を維持することが可能となるため、上記の方式では、偏心量の検知が困難になるという問題がある。
【０００６】
ここで、特許文献１は、ドラム式洗濯機において、ドラムの１回転周期におけるトルク電流の変動振幅αを検出してドラムの偏心量を検知している。しかし、斯様な方式では、図１０（ｄ）に示すような、縦型洗濯機独特の構造に由来する振動のパターンを検知することはできない。また、特許文献２もドラム式洗濯機であり、ｑ軸電流をローパスフィルタにより積分して２乗演算を行い、更にローパスフィルタを通した結果得られた変動幅Ｈに基づきドラム回転時のバランスが適正か否かを判定している。この技術も特許文献１と同様に、縦型洗濯機に独特な振動パターンは検知できない。
本発明は上記事情に鑑みてなされたものであり、その目的は、所謂縦型洗濯機において洗濯槽が回転した場合に発生する水槽の偏心量を、より高精度に検知することにある。
【課題を解決するための手段】
【０００７】
本発明の洗濯機は、複数の弾性吊持機構を介して外箱内に吊持される水槽と、この水槽内に配置され、内部に撹拌翼を備える洗濯槽とを有し、前記洗濯槽を回転させることで当該槽内に収容されている洗濯物を脱水するものにおいて、
前記洗濯槽を回転させるモータをベクトル制御することで検出されるトルク成分電流について所定期間毎の平均値を求め、その平均値の差に基づいて、前記洗濯槽が回転している状態での偏心量を検知する偏心量検知手段を備えたことを特徴とする。
【０００８】
即ち、本願発明の発明者は、洗濯槽が回転して水槽の縦揺れ振動が発生する場合について、検出されるトルク成分電流の状態を詳細に解析した。その結果、単にトルク成分電流の振幅レベルの大小を評価しても、明確に検知が可能なレベルの差を得ることはできなかったが、トルク成分電流の所定期間毎の平均値について差を求めると、縦揺れ振動が発生した場合に、その差が明確に大きくなることを見出した。従って、偏心量検知手段は、上記の検知原理に基づいて、水槽が縦揺れ振動した場合に生じる偏心量の増大を捉えることができる。
【発明の効果】
【０００９】
本発明によれば、高出力のモータを用いた場合に、従来の方式では検知が困難となる、所謂縦型洗濯機の独特な構造に由来した現象である水槽の縦揺れ振動の発生を、確実に検知することが可能となる。
【発明を実施するための最良の形態】
【００１０】
以下、本発明の一実施形態について図１乃至図９を参照して説明する。図４は、縦型全自動洗濯機の一部を破断して示す縦断側面図である。洗濯機本体１は、矩形箱状の外箱２と、外箱２の上面に設けられた中空状のトップカバー３とから構成されている。前記外箱２の内部には水槽４が、支持軸５ａ及びばね５ｂよりなる弾性吊持機構５（実際は複数であるが１つのみ図示）により弾性吊持されており、前記水槽４の内部には脱水槽兼洗濯槽たる洗濯槽６が回転可能に配設されている。前記洗濯槽６の周壁部には多数の脱水孔６ａが形成されている。また、前記洗濯槽６の上端部にはバランスリング７が設けられている。さらに、前記洗濯槽６の内底部には撹拌翼８が回転可能に配設されている。
【００１１】
前記外箱２のうち前記水槽４の外底部には、槽軸９ａ及び撹拌軸９ｂを有する機構部９が配設されていて、槽軸９ａには前記洗濯槽６が連結され、撹拌軸９ｂの上端部には前記撹拌翼８が連結されている。また撹拌軸９ｂの下端部は直流ブラシレスＤＣモータからなる洗濯機モータ１０のアウタロータ１０ａが連結されている。そして、洗い行程及びすすぎ行程には、この洗濯機モータ１０により前記撹拌翼８のみが正逆回転され、脱水行程には撹拌翼８及び洗濯槽６が同期して高速回転されるようになっている。尚、洗濯機モータ１０は、前述したように、ロータ１０ａの内周側にネオジウム磁石（図示せず）を配置して構成されている高出力トルクのモータである。
【００１２】
また、前記水槽４の底部には排水口１１が形成されており、その排水口１１には、排水弁１２を介して排水ホース１３が接続されている。なお、前記トップカバー３には、蓋１７が設けられている。また、このトップカバー３の前部上面には、操作パネル１８が設けられ、これの裏面側に制御装置１９が配置されている。
【００１３】
図５は、制御装置１９を中心とする制御−駆動系の構成を示す機能ブロック図である。目標速度指令ωref は、洗濯機の運転全般を制御する制御用のマイクロコンピュータ（マイコン，偏心量検知手段）２０より出力され、減算器３３は、その目標速度指令ωref と、エスティメータ(Estimator) ３４により検出されたモータ１０の回転速度ωとの減算結果を出力する。速度ＰＩ制御部３５は、目標速度指令ωref と検出速度ωとの差分量に基づいてＰＩ制御を行い、ｑ軸電流指令値Ｉqrefとｄ軸電流指令値Ｉdrefとを生成する。減算器３６，３７は、前記指令値Ｉqref，Ｉdrefとαβ／ｄｑ変換部３８より出力されるｑ軸電流値Ｉｑ（トルク成分電流），ｄ軸電流値Ｉｄとの減算結果を電流ＰＩ制御部３９ｑ，３９ｄに出力する。ｑ軸電流値Ｉｑはマイコン２０にも与えられる。
【００１４】
電流ＰＩ制御部３９ｑ，３９ｄは、ｑ軸電流指令値Ｉqrefとｄ軸電流指令値Ｉdrefとの差分量に基づいてＰＩ制御を行い、ｑ軸電圧指令値Ｖｑ及びｄ軸電圧指令値Ｖｄを生成して出力する。ｄｑ／αβ変換部４０は、エスティメータ３４により検出されたモータ１０における２次磁束の回転位相角（ロータ位置角）θに基づいて、電圧指令値Ｖｄ，Ｖｑを電圧指令値Ｖα，Ｖβに変換する。
αβ／ＵＶＷ変換部４１は、電圧指令値Ｖα，Ｖβを三相の電圧指令値Ｖｕ，Ｖｖ，Ｖｗに変換して出力する。切換えスイッチ４２ｕ，４２ｖ，４２ｗは、電圧指令値Ｖｕ，Ｖｖ，Ｖｗと、初期パターン出力部４３により出力される起動用の電圧指令値Ｖus，Ｖvs，Ｖwsとを切り換えて出力する。
【００１５】
ＰＷＭ形成部４４は、電圧指令値Ｖus，Ｖvs，Ｖwsに基づき１６ｋＨｚの搬送波を変調した各相ＰＷＭ信号Ｖup(+,-) ，Ｖvp(+,-) ，Ｖwp(+,-) をインバータ回路４５に出力する。インバータ回路４５は６個のＩＧＢＴ４６を三相ブリッジ接続して構成され、下アーム側Ｕ，Ｖ相のＩＧＢＴ４６のエミッタは、夫々電流検出用のシャント抵抗４７（ｕ，ｖ）を介してグランドに接続されている。また、両者の共通接続点は、図示しない増幅・バイアス回路を介してＡ／Ｄ変換部４９に接続されている。また、インバータ回路４５には、１００Ｖの交流電源を倍電圧全波整流した約２８０Ｖの直流電圧が印加される。増幅・バイアス回路はシャント抵抗４７の端子電圧を増幅し、その増幅信号の出力範囲が正側に収まるようにバイアスを与える。
【００１６】
Ａ／Ｄ変換部４９は、増幅・バイアス回路の出力信号をＡ／Ｄ変換した電流データＩｕ，Ｉｖを出力する。ＵＶＷ／αβ変換部５２は、電流データＩｕ，ＩｖからＷ相の電流データＩｗを推定し、三相の電流データＩｕ，Ｉｖ，Ｉｗを直交座標系の２軸電流データＩα，Ｉβに変換する。
αβ／ｄｑ変換部３８は、ベクトル制御時にはエスティメータ３４よりモータ１０のロータ位置角θを得て２軸電流データＩα，Ｉβをｄ軸電流値Ｉｄ，ｑ軸電流値Ｉｑに変換し、例えば１２８μ秒毎に出力する。エスティメータ３４は、電圧指令値Ｖｄ及びＶｑ，ｄ軸電流値Ｉｄ，ｑ軸電流値Ｉｑに基づいてロータ１０ｂの位置角θ及び回転速度ωを推定し、各部に出力する。尚、以上の構成においてインバータ回路４５を除く構成は、主にＤＳＰ（Digital Signal Processor）５３のソフトウエアによって実現されている機能である。
【００１７】
次に、本実施例の作用について図１乃至図３、及び図６乃至図９も参照して説明する。図６は、脱水運転時におけるモータ１０の回転数の制御状態を示すものである。マイコン２０は、回転数をＮ１ｒｐｍまで上昇させると、その状態を維持したまま（１）水槽４の横揺れ検知（上下，並進アンバラ検知）を行う。それから、回転数をＮ３ｒｐｍまで上昇させる間に、（２）水槽４の縦揺れ検知（対向アンバラ検知）を行なう。そして、最後に、脱水運転の定常回転数である例えば７００〜８００ｒｐｍに上昇させるまでの間に、（３）水槽４の外箱２に対する接触検知を行なう。
【００１８】
図７〜図９は、夫々上記（１）〜（３）でマイコン２０が行なう処理に対応するフローチャートである。
＜（１）水槽４の横揺れ検知＞
図７において、マイコン２０は、モータ１０、即ち洗濯槽６の回転数がＮ１ｒｐｍに達するように加速させる（ステップＳ１，Ｓ２）。そして、回転数がＮ１ｒｐｍに達すると（ステップＳ２，「ＹＥＳ」）、回転数をそのまま維持（固定）させる（ステップＳ３）。
【００１９】
次に、マイコン２０は、例えば外気温や外箱２内部の温度、若しくは水槽４の温度を検出するような温度センサ（図示せず）により温度を測定すると、その温度に応じて、ステップＳ７における判断に使用するためのしきい値を決定してから（ステップＳ５）ステップＳ６に移行する。ここでの偏心量測定は、図２に示す処理によって行なう。図２（ａ）に示すように、ｑ軸電流波形は、洗濯槽４の回転により偏心（アンバランス）が発生していない場合は交流成分の振幅が小さく、図１０（ａ）〜（ｃ）に示したような水槽４の横揺れ振動が発生した場合は交流成分の振幅が大きくなることが確認されている。そこで、図２（ｂ）に示すようにｑ軸電流の直流成分をカットし、交流成分について実効値を求める（即ち、「偏心量」＝「ｑ軸電流交流成分の実効値」である）。
【００２０】
そして、続くステップＳ７では、その実効値がステップＳ５で決定されたしきい値を下回るか否かを判定する。「偏心量」＜「しきい値」であれば（「ＹＥＳ」）水槽４の横揺れ振動は発生していないと判断され、そのまま脱水運転を継続する（ステップＳ８）。一方、「偏心量」≧「しきい値」であれば（「ＮＯ」）、水槽４の横揺れ振動が発生していると推定されるので、例えば洗濯槽６の回転を一旦停止させて槽内に給水を行い、撹拌翼８を撹拌させるなどして洗濯物の分布バランスを調整し、偏心状態を解消するための処理（修正行程）を行なうようにする（ステップＳ９）。尚、横揺れ振動の共振点は１００ｒｐｍ付近にあり、この共振点は弾性吊持機構５の支持棒５ａの長さが支配的となって決定されるものである。
【００２１】
＜（２）水槽４の縦揺れ検知＞
図８に示す処理は、図７に示す処理に引き続き実行される。マイコン２０は、洗濯槽６の回転数をＮ１ｒｐｍからＮ２ｒｐｍに達するように加速させると、ステップＳ４，Ｓ５と同様に、測定した温度に基づきステップＳ１７の判断に使用するためのしきい値を決定する（ステップＳ１１，Ｓ１２）。それから、回転数が毎秒１０ｒｐｍの割合で上昇するように加速を制御し（ステップＳ１３）、回転数がＮ３ｒｐｍに達するまでの間、偏心量の測定及びしきい値との比較を行う（ステップＳ１６，Ｓ１７）。
【００２２】
ここで、ステップＳ１６における偏心量の測定について図１を参照して説明する。図１は、モータ１０の回転数がＮ１ｒｐｍからＮ３ｒｐｍ〜に上昇する過程における水槽４の振動状態を示す波形の包絡線（図中に２点鎖線で示す）と、その場合のｑ軸電流波形とを示すものである。尚、ｑ軸電流波形は、水槽４の縦揺れ振動が発生した場合，発生しない場合の双方について示している。
【００２３】
水槽４の縦揺れ振動が発生しない場合、ｑ軸電流が大きく変化することはないが、縦揺れ振動が発生するとｑ軸電流は緩やかに変化する。従来、一般的に使用されている出力のモータであれば、同様の振動が発生するとモータの回転数が低下するが、高出力トルクのモータ１０の場合は、振動が発生したままの状態で回転数を上昇させることが可能であるためより大きなエネルギーを消費することになり、ｑ軸電流が増大している。
尚、この場合、縦揺れ振動の共振点は２００ｒｐｍ付近にあり（但し、周囲温度２５℃〜３０℃の場合）、この共振点は弾性吊持機構５のばね５ｂが有する弾性が支配的となって決定されるものである。そして、ｑ軸電流のピークも、縦揺れ振動の共振点に略一致している。
【００２４】
ステップＳ１６では、１２８μｓ毎にサンプリングされているｑ軸電流データを間引きして、１ｍｓ毎に得られるデータを１秒間当たり（即ち、回転数が１０ｒｐｍ上昇する間）１０００個について平均を求め、前回に求めた平均値との差を計算する。即ち、ここでは「偏心量」＝「平均値の差」となっている。そして、ステップＳ１７では、その平均値の差がステップＳ１２で決定されたしきい値を下回るか否かを判定する。「平均値の差」＜「しきい値」であれば（「ＹＥＳ」）、水槽４の縦揺れ振動は発生していないと判断されるのでステップＳ１４に戻り、「平均値の差」≧「しきい値」であれば（「ＮＯ」）、水槽４の縦揺れ振動が発生していると推定されるので、ステップＳ９と同様の修正行程を実行する（ステップＳ１８）。
【００２５】
ここで、図１においてステップ状に変化しているのが、１秒毎に演算されているｑ軸電流平均値の差分変化を示すものである。水槽４の振動がピークに達した直後の差分値が最大となっている。従って、この差分値が最大に達した場合を検知するようにしきい値を設定することで、水槽４の縦揺れ振動を検知することが可能となる。
【００２６】
以上のようにしてステップＳ１４，Ｓ１６，Ｓ１７のループを回る間に回転数がＮ３ｒｐｍに達すると（ステップＳ１４，「ＹＥＳ」）、縦揺れ振動が発生する可能性はなくなったため脱水運転を継続する（ステップＳ１５）。尚、縦揺れ振動の検知は、回転数範囲Ｎ２ｒｐｍ〜Ｎ３ｒｐｍついて行なっているが、これは、洗濯機が設置されている環境の温度変化に応じて、弾性吊持機構５のばね５ｂが有する弾性が変化するなどして共振周波数が上記の範囲で変化する可能性があるからである。
例えば、洗濯機が乾燥機能付きであれば、脱水運転においても洗濯槽６の内部に温風が送風される場合があるため（所謂プリヒート脱水）、外箱２の内部温度が例えば４０℃以上に上昇する場合がある。
【００２７】
（３）水槽４の外箱２に対する接触検知
図９に示す処理は、図８に示す処理に引き続き実行される。マイコン２０は、ステップＳ１２と同様に、ステップＳ２２の判断に使用するためのしきい値を決定する（ステップＳ２０）。但し、ここでは、水槽４が外箱２に接触した場合、ｑ軸電流の変化は極めて大きくなるため、（１），（２）のケースのように測定した温度に基づいてしきい値の設定を変更する必要はない。
【００２８】
それから、図７に示すステップＳ６と同様にしてｑ軸電流の実効値を演算すると（ステップＳ２１）、続くステップＳ２２では、その実効値がステップＳ２０で決定されたしきい値を下回るか否かを判定する。「実効値」＜「しきい値」であれば（「ＹＥＳ」）水槽４の外箱２に対する接触（外箱当たり）は発生していないと判断されるので、脱水運転が終了でなければ（ステップＳ２３，「ＮＯ」）ステップＳ２１に戻る。即ち、ここでも「偏心量」＝「実効値」となっている。一方、「実効値」≧「しきい値」であれば（「ＮＯ」）、水槽４の外箱２に対する接触が発生していると推定されるので、脱水運転を停止させ、ステップＳ１８と同様の修正行程を実行する（ステップＳ２４）。
【００２９】
ここで、図３には、水槽４が外箱２に接触した場合の電流波形を示す。図３（ａ）は図６相当図であり、回転数の実測値を示すものである。洗濯槽６の回転数が脱水運転の定常回転数付近である７００ｒｐｍ以上に達した時点で水槽４が外箱２に接触している。図３（ｂ）はその時のｑ軸電流波形を示すが、ｑ軸電流の振幅が大きくなっている。そして、図３（ｃ）はその時のｑ軸電流の実効値を示すが、実効値はより明確な増大傾向を示している。従って、このように実効値が増大した場合を検知するようにしきい値を設定することで、水槽４の外箱２に対する接触を検知することが可能となる。
尚、図３（ｂ），（ｃ）では、出願人の都合により、外箱当たりが発生する前の電流波形については図示を省略している。
【００３０】
以上のように本実施例によれば、制御装置１９のマイコン２０は、洗濯槽６を回転させるモータ１０をベクトル制御することで検出されるｑ軸電流振幅の実効値が所定のしきい値を超えることで、洗濯槽６が回転した場合に水槽４に横揺れ振動が発生したことを検知し、また、ｑ軸電流について所定期間毎の平均値を求め、その平均値の差に基づいて、洗濯槽６が回転している状態で水槽４に縦揺れ振動が発生している場合の偏心量を検知するようにした。従って、高出力のモータ１０を用いた場合に、従来の方式では検知が困難であった、縦型洗濯機の構造に由来する独特な現象である水槽４の縦揺れ振動の発生を確実に検知することが可能となり、より低振動且つ低騒音で運転が可能な洗濯機を提供することができる。
【００３１】
そして、マイコン２０は、水槽４が縦揺れ振動する場合の共振点付近であるＮ２ｒｐｍ〜Ｎ３ｒｐｍにおいて偏心量を検知するので、周囲温度に応じて共振点が変化する場合でも、縦揺れ振動を確実に検知することができる。また、マイコン２０は、ｑ軸電流振幅の実効値が所定のしきい値（上記のしきい値よりも大である）を超えることで、洗濯槽６が回転した場合に水槽４が外箱２に接触する状態を検知し、その接触を検知すると洗濯槽６の回転を停止させるので、洗濯機の機構を保護することができる。
【００３２】
本発明は上記し図面に記載した実施例にのみ限定されるものではなく、以下のような変形が可能である。
水槽が振動する場合の共振点に対応する洗濯槽の回転数は一例であり、個別の設計に応じて適当となる値を夫々設定すれば良い。
ｑ軸電流のサンプリング間隔や、平均値を求める場合の所定期間やサンプル数なども、適宜変更して実施すれば良い。
【図面の簡単な説明】
【００３３】
【図１】本発明の一実施例であり、モータの回転数がＮ１ｒｐｍからＮ３ｒｐｍ〜に上昇する過程における水槽の振動状態を示す波形と、その場合のｑ軸電流波形とを示す図
【図２】（ａ）は横揺れ振動が発生している場合、発生していない場合のｑ軸電流波形、（ｂ）はｑ軸電流波形振幅の実効値を求めるプロセスを示す図
【図３】水槽が外箱に接触した場合の電流波形を示すもので、（ａ）は図６相当の回転数実測値、（ｂ）はｑ軸電流波形、（ｃ）はｑ軸電流の実効値を示す図
【図４】縦型全自動洗濯機の一部を破断して示す縦断側面図
【図５】制御装置を中心とする制御−駆動系の構成を示す機能ブロック図
【図６】脱水運転時におけるモータの回転数の制御状態を示す
【図７】水槽の横揺れ検知処理の内容を示すフローチャート
【図８】同縦揺れ検知処理の内容を示すフローチャート
【図９】水槽の外箱に対する接触検知処理の内容を示すフローチャート
【図１０】洗濯物のアンバランス分布状態の典型例を示すもので、（ａ）は上アンバラ状態、（ｂ）は下アンバラ状態、（ｃ）は並進アンバラ状態、（ｄ）は対向アンバラ状態を示す図
【符号の説明】
【００３４】
図面中、２は外箱、４は水槽、５は弾性吊持機構、６は洗濯槽、８は撹拌翼、１０はモータ、２０はマイクロコンピュータ（偏心量検知手段）を示す。
【図１】
2007050114.tif 000003
【図２】
2007050114.tif 000004
【図３】
2007050114.tif 000005
【図４】
2007050114.tif 000006
【図５】
2007050114.tif 000007
【図６】
2007050114.tif 000008
【図７】
2007050114.tif 000009
【図８】
2007050114.tif 000010
【図９】
2007050114.tif 000011
【図１０】
2007050114.tif 000012